(57)【要約】【課題】上下のスラットの連結部における水密性、気密性、遮音性を確実に確保するとともに、さらに向上させることを可能とする新規な技術について提案する。【解決手段】上側のスラット１０Ｂの下部係合部１２に下側のスラット１０Ａの上部係合部１１を収容し、両係合部１１・１２を係合させることで上下方向に連結される構成とするシャッターカーテンのスラット１０Ａ・１０Ｂであって、スラット同士の連結部２０において、下部係合部１２と上部係合部１１が室外側において接触してなる第一の接触部２１と、下部係合部１２と上部係合部１１が室内側において接触してなる第二の接触部２２と、が形成される、シャッターカーテンのスラットとする。【選択図】図３
2010019057.tif 000002
【特許請求の範囲】
【請求項１】
上側のスラットの下部係合部に下側のスラットの上部係合部を収容し、前記両係合部を係合させることで上下方向に連結される構成とするシャッターカーテンのスラットであって、
前記スラット同士の連結部において、
前記下部係合部と前記上部係合部が室外側において接触してなる第一の接触部と、
前記下部係合部と前記上部係合部が室内側において接触してなる第二の接触部と、
が形成される、シャッターカーテンのスラット。
【請求項２】
前記第二の接触部は、
前記下部係合部において前記上部係合部を収容する下部収容空間の天井面を構成する部位と、
前記上部係合部の上部を構成する部位と、を接触させることで形成される、
ことを特徴とする請求項１に記載のシャッターカーテンのスラット。
【請求項３】
前記上部係合部を吊り下げ保持するための前記下部係合部の下部吊り下げ部位と、
前記下部吊り下げ部位に吊り下げられるための前記上部係合部の上部吊り下げ部位の間には、
上側のスラットを逆反り可能とするための隙間を確保することとする、
ことを特徴とする請求項１又は請求項２に記載のシャッターカーテンのスラット。
【請求項４】
請求項１乃至請求項３のシャッターカーテンのスラットを、複数連結して構成されるシャッターカーテン。
【請求項５】
請求項１乃至請求項３のシャッターカーテンのスラットを備えるシャッター装置。
【発明の詳細な説明】
【技術分野】
【０００１】
本発明は、複数のスラットを上下方向に連結してシャッターカーテンを構成する技術に関するものであり、特に、各スラットの連結部における水密性、気密性、遮音性の向上を図る技術に関する。
【背景技術】
【０００２】
従来、複数のスラットを上下方向に連結してシャッターカーテンを構成する技術は周知となっており、これについて開示する文献も存在する（例えば、特許文献１、２参照。）。
【０００３】
特許文献１では、上側のスラットの屈曲部の上面にて下側のスラットの先端縁を係合させることで、連結部におけるスラット同士の接触箇所を少なくし、巻取り時におけるスラット同士の擦れ合いによる騒音の低減を図る技術が開示されている。
【０００４】
特許文献２では、上側のスラットの折り返し部を、下側のスラットの傾斜部に接触させることで、この接触によって雨水の浸入の防止を図る技術が開示されている。
【特許文献１】特許第３９５６８０１号明細書
【特許文献２】特許第３７１３５９２号明細書
【発明の開示】
【発明が解決しようとする課題】
【０００５】
シャッター装置のさらなる高機能化が求められる近年において、上下のスラット同士の連結部においては、外部からの雨水の浸入を防止するための水密性の向上が求められている。また、室内外の空気の流れを遮断して、室内温度を保つための気密性の向上が求められている。また、外部騒音の室内への到達を防ぐための遮音性の向上も求められている。
【０００６】
しかし、従来技術では、上記の特許文献１、２も含め、上下のスラットの連結部における水密性、気密性、遮音性が十分でないものといえる。
【０００７】
例えば、特許文献１に開示される連結部においては、明細書中の記載からは明らかでないが、その水密性が確保されるとするならば、上側のスラットの屈曲部の上面と、下側のスラットの先端部の係合部（接触面）の一箇所のみとなる。
【０００８】
また、特許文献２に開示される連結部においては、上側のスラット折り返し部と、下側のスラットの傾斜部との接触箇所において水密性が確保されるが、この一箇所においてのみ水密性を積極的に確保しようとする内容となっている。なお、万が一、上下隣位のスラットの隙間から雨水が浸入した際には、室内側の空間を水切りとして機能させることを想定しており、このことからも、前述の一箇所においてのみ水密性を確保しているものと考えられる（特許文献２、段落００１７参照。）。
【０００９】
そして、上記特許文献１、２のように一箇所においてのみ水密性が確保される構成では、多量の雨水が降りかかる状況や、室外の水嵩が増加した状況などにおいては、その水密性が十分に確保されず、室内側に雨水が浸入することが懸念される。また、気密性や遮音性についても、不十分であることが懸念される。特に、スラットは、一般的に長尺の金属部材で構成されるため、組立て時における変形や成形時に製作誤差によっては、連結部における必要な接触が実現されず、スラットの幅方向において、水密性などが不十分な箇所が局所的に発生してしまうことが懸念される。
【００１０】
そこで、本発明は以上の問題に鑑み、上下のスラットの連結部における水密性、気密性、遮音性を確実に確保するとともに、さらに向上させることを可能とする新規な技術について提案する。
【課題を解決するための手段】
【００１１】
本発明の解決しようとする課題は以上の如くであり、次にこの課題を解決するための手段を説明する。
【００１２】
即ち、請求項１に記載のごとく、
上側のスラットの下部係合部に下側のスラットの上部係合部を収容し、前記両係合部を係合させることで上下方向に連結される構成とするシャッターカーテンのスラットであって、
前記スラット同士の連結部において、
前記下部係合部と前記上部係合部が室外側において接触してなる第一の接触部と、
前記下部係合部と前記上部係合部が室内側において接触してなる第二の接触部と、
が形成される、シャッターカーテンのスラットとするものである。
【００１３】
また、請求項２に記載のごとく、
前記第二の接触部は、
前記下部係合部において前記上部係合部を収容する下部収容空間の天井面を構成する部位と、
前記上部係合部の上部を構成する部位と、を接触させることで形成されることとするものである。
【００１４】
また、請求項３に記載のごとく、
前記上部係合部を吊り下げ保持するための前記下部係合部の下部吊り下げ部位と、
前記下部吊り下げ部位に吊り下げられるための前記上部係合部の上部吊り下げ部位の間には、
上側のスラットを逆反り可能とするための隙間を確保することとするものである。
【００１５】
また、請求項４に記載のごとく、
請求項１乃至請求項３のシャッターカーテンのスラットを、複数連結して構成されるシャッターカーテンとするものである。
【００１６】
また、請求項５に記載のごとく、
請求項１乃至請求項３のシャッターカーテンのスラットを備えるシャッター装置とするものである。
【発明の効果】
【００１７】
本発明の効果として、以下に示すような効果を奏する。
【００１８】
即ち、請求項１に記載の発明においては、
第一の接触部、及び、第二の接触部の合計二箇所に接触部が構成され、二箇所において、水密性、気密性、遮音性を確保することができる。これにより、従来の一箇所にのみ接触部が形成されるものと比較して、水密性、気密性、遮音性を向上することが可能となる。
【００１９】
また、請求項２に記載の発明においては、
高い位置に形成される第二の接触部において水密性を確保することができるため、この第二の接触部において、室内側への水の浸入を効果的に防止することができる。
【００２０】
また、請求項３に記載の発明においては、
シャッター装置の室内側面からガイドレールまでの距離を縮小することが可能となり、シャッター装置全体としてコンパクト化を図ることが可能となる。
【００２１】
また、請求項４に記載の発明においては、
水密性等に優れたシャッターカーテンを構成することができる。
【００２２】
また、請求項５に記載の発明においては、
水密性等に優れたシャッター装置を構成することができる。
【発明を実施するための最良の形態】
【００２３】
本発明の実施形態として、
以下、図面を参照して各実施例について説明をする。
【実施例１】
【００２４】
図１に示すごとく、巻取ケース１内に配置される巻取シャフト２に対し、本実施例のスラット１０Ａ・１０Ｂ・・・を連結して構成されるシャッターカーテン３が巻回される。このシャッターカーテン３は、ガイドレール４・４によってガイドされつつ、手動又は電動によって昇降するように構成されている。また、図において、右側を室外側、左側を室内側とし、室内外の空間がシャッターカーテン３によって遮られるようになっている。
【００２５】
また、図２は、スラット１０Ａの全体構造について示すものである。
このスラット１０Ａは、紙面と直交する方向に長い長尺の部材である。また、スラット１０Ａの上部には上部係合部１１が設けられており、この上部係合部１１が、上側で隣り合うスラット１０Ｂの下部係合部１２に係合される。また、スラット１０Ａの下部には下部係合部１２が設けられており、この下部係合部１２が、下側で隣り合うスラット１０Ｃの上部係合部１１に係合される。また、各スラット１０Ａ・１０Ｂ・１０Ｃは同一形状に構成されるものである。
【００２６】
また、図２に示すごとく、スラット１０Ａにおいて、上部係合部１１と下部係合部１２の間は、上下方向に略垂直な遮蔽面構成部１３にて構成されている。この遮蔽面構成部１３において、図の右側となる室外側においては、外装面１４が形成される。この外装面１４は、上下方向に略垂直な面を構成するものであり、上下のスラット１０Ｂ・１０Ａの外装面１４・１４とともに、略垂直な一連の外装面５を形成するようになっている。
【００２７】
また、図２に示すごとく、スラット１０Ａの上部係合部１１は、遮蔽面構成部１３の上端部から室内側に略水平方向に伸びる上部水平面部１１Ａと、上部水平面部１１Ａから室内側に斜め上方に延びる上部第一傾斜部１１Ｂと、上部第一傾斜部１１Ｂの室内側端部から更に室内側に斜め上方に延び、上部第一傾斜部１１Ｂよりも大きな傾斜角度を有する上部第二傾斜部１１Ｃと、上部第二傾斜部１１Ｃの室内側端部から下方に延びる上部第三傾斜部１１Ｄと、を有している。
【００２８】
また、図２に示すごとく、スラット１０Ａの上部係合部１１は、遮蔽面構成部１３と上部水平面部１１Ａの間に、上部第一屈曲部１１ａを有している。また、上部係合部１１は、上部水平面部１１Ａと上部第一傾斜部１１Ｂの間に、上部第二屈曲部１１ｂを有している。また、上部係合部１１は、上部第一傾斜部１１Ｂと上部第二傾斜部１１Ｃの間に、上部第三屈曲部１１ｃを有している。また、上部係合部１１は、上部第二傾斜部１１Ｃと上部第三傾斜部１１Ｄの間に、上部第四屈曲部１１ｄを有している。ここで、上部第四屈曲部１１ｄは、上部第二傾斜部１１Ｃと上部第三傾斜部１１Ｄにより、略逆Ｖ字状に構成される。
【００２９】
また、図２に示すごとく、スラット１０Ａの下部係合部１２においては、遮蔽面構成部１３の下端部から室内側に屈曲して略Ｕ字状に構成される下部第一屈曲部１２ａと、下部第一屈曲部１２ａから上方に延びる縦面部１２Ａと、縦面部１２Ａの上部から室内側に斜め上方に延びる下部第一傾斜部１２Ｂと、下部第一傾斜部１２Ｂの室内側の端部から室内側に斜め下方に延びる下部第二傾斜部１２Ｃと、下部第二傾斜部１２Ｃの室内側の端部から室外側に斜め下方に延びる下部第三傾斜部１２Ｄと、下部第三傾斜部１２Ｄの室外側の端部から室外側に斜め上方に延びる下部第四傾斜部１２Ｅと、を有している。このように構成することで、スラット１０Ａの下側に配置されるスラット１０Ｃの上部係合部１１を収容するための下部収容空間１２Ｍが形成されることとしている。
【００３０】
また、図２に示すごとく、スラット１０Ａの下部係合部１２は、縦面部１２Ａと下部第一傾斜部１２Ｂの間に、下部第二屈曲部１２ｂを有している。また、下部第一傾斜部１２Ｂと下部第二傾斜部１２Ｃの間に、下部第三屈曲部１２ｃを有している。また、下部第二傾斜部１２Ｃと下部第三傾斜部１２Ｄの間に、下部第四屈曲部１２ｄを有している。また、下部第三傾斜部１２Ｄと下部第四傾斜部１２Ｅの間に、下部第五屈曲部１２ｅを有している。
【００３１】
また、図２に示すごとく、スラット１０Ａの上側に配置されるスラット１０Ｂの下部には、同様に、下部係合部１２が形成されており、このスラット１０Ｂの下部係合部１２の下部収容空間１２Ｍに、スラット１０Ａの上部係合部１１が収容される。同様に、スラット１０Ａの下側に配置されるスラット１０Ｃの上部には、上部係合部１１が形成されており、このスラット１０Ｃの上部係合部１１が、スラット１０Ａの下部係合部１２の下部収容空間１２Ｍに収容される。
【００３２】
また、図３は、スラット１０Ｂの下部係合部１２とスラット１０Ａの上部係合部１１の連結部２０を拡大したものである。また、図３は、シャッターカーテンの下降が完了し、シャッター装置の開口部が完全に閉鎖された際の連結部２０の状態を示すものである。
そして、下部係合部１２の下部第一屈曲部１２ａは、上部係合部１１の上部水平面部１１Ａと接触される。このように、下部第一屈曲部１２ａと上部水平面部１１Ａが接触することで、連結部２０の室外側に第一の接触部２１が形成される。
さらに、下部係合部１２の下部第三屈曲部１２ｃは、上部係合部１１の上部第四屈曲部１１ｄと接触される。このように、下部第三屈曲部１２ｃと上部第四屈曲部１１ｄが接触することで、連結部２０の室内側に第二の接触部２２が形成される。
【００３３】
また、図３に示すごとく、上部係合部１１における上部水平面部１１Ａの上表面１１Ａｕから上部第四屈曲部１１ｄの上表面１１ｄｕまでの上下寸法Ｈ１と、下部係合部１２における下部第一屈曲部１２ａの下表面１２ａｕから下部第三屈曲部１２ｃの下表面１２ｃｕまでの上下寸法Ｈ２とは、略同一となるように設定されている。この構成により、シャッターカーテンの下降が完了し、シャッター装置の開口部が完全に閉鎖された際には、必ず、第一の接触部２１、及び、第二の接触部２２が形成されるようになる。
【００３４】
以上のようにして、図３に示すごとく、スラット１０Ａ・１０Ｂの連結部２０においては、シャッターカーテンによりシャッター装置の開口部が完全に閉鎖された際には、第一の接触部２１、及び、第二の接触部２２の合計二箇所に接触部が同時に構成され、二箇所において、水密性、気密性、遮音性を確保することができる。これにより、従来の一箇所にのみ接触部が形成されるものと比較して、水密性、気密性、遮音性を向上することが可能となる。
【００３５】
また、図３に示すごとく、第二の接触部２２は、下部係合部１２において下部収容空間１２Ｍの天井面を構成する部位となる下部第三屈曲部１２ｃの下表面１２ｃｕと、上部係合部１１の上部を構成する部位となる上部第四屈曲部１１ｄの上表面１１ｄｕと、を接触させることで形成されるようになっている。
【００３６】
これにより、図４（ａ）に示すごとく、例えば、多量の降雨によって室外の水嵩が増加し、第一の接触部２１から徐々に水が浸入してしまうような場合でも、下部係合部１２における下部収容空間１２Ｍにおいて、上部第四屈曲部１１ｄが形成される位置までの高さｈ１までの水位ｈ２については、室内側への水の浸入を効果的に防止することができる。換言すれば、上部第一傾斜部１１Ｂと上部第二傾斜部１１Ｃによって、上下方向に寸法の長い縦壁を構成することができることになる。また、仮に、水位ｈ２が高さｈ１まで上昇したとしても、高い位置に形成される第二の接触部２２において水密性を確保することができるため、この第二の接触部２２において、室内側への水の浸入を効果的に防止することができる。つまり、二段階の水密性を確保することができ、連結部２０の全体として優れた水密性を確保できることになる。なお、図４（ａ）に示されるような状況は、特に、シャッターカーテンにおいて、床面に近い位置（シャッターカーテンの座板に近い位置）に配置されるスラット同士の連結部において、発生することが想定される。
【００３７】
また、図３に示すごとく、上部係合部１１における上部第四屈曲部１１ｄの上表面１１ｄｕから上部第三傾斜部１１Ｄの下端１１Ｄｓまでの距離Ｌ１は、下部係合部１２における下部第三屈曲部１２ｃの下表面１２ｃｕから下部第五屈曲部１２ｅまでの距離Ｌ２よりも小さく構成される。換言すれば、第二の接触部２２から上部第三傾斜部１１Ｄの下端１１Ｄｓまでの距離Ｌ１が、第二の接触部２２から下部第五屈曲部１２ｅの内側面１２ｆまでの距離Ｌ２よりも小さく構成される。これにより、第一の接触部２１、及び、第二の接触部２２が形成された状態において、上部第三傾斜部１１Ｄの下端１１Ｄｓと、下部第五屈曲部１２ｅの内側面１２ｆの間に、隙間Ｓ１が形成される。
【００３８】
そして、図３に示される隙間Ｓ１の存在により、上部係合部１１と下部係合部１２の上下方向の相対移動が可能となる。これにより、図４（ｂ）に示すごとく、シャッターカーテンが上昇する際においては、下部第五屈曲部１２ｅの内側面１２ｆに上部第三傾斜部１１Ｄの下端１１Ｄｓが載置され、スラット１０Ｂにスラット１０Ａが吊り下げられる状態となる。そして、この場合には、下部第一屈曲部１２ａと上部水平面部１１Ａの間に隙間Ｓ２を形成することができ、仮に、下部収容空間１２Ｍに水が滞留していた場合については、この隙間Ｓ２から室外へと水を排出することができる。そして、シャッターカーテンの上昇の際に、下部収容空間１２Ｍの水が排出できることとなるため、図１に示される巻取ケース１内への水の浸入を防止することができる。
【００３９】
また、図３に示される隙間Ｓ１の存在により、図５（ａ）に示すごとく、シャッターカーテンが上昇する際には、上部第四屈曲部１１ｄと下部第三屈曲部１２ｃとの間に隙間Ｓ３が形成される。また、図１に示されるように、シャッターカーテン３が巻取シャフト２に巻き取られる際において、図５（ｂ）（ｃ）に示すごとく、スラット１０Ａ・１０Ｂが相対回転する際においても、上部第四屈曲部１１ｄと下部第一傾斜部１２Ｂの間に隙間Ｓ３が確保される。このように隙間Ｓ３が確保されることによって、上部係合部１１と下部係合部１２が擦れ合うことが無く、両スラット１０Ａ・１０Ｂをスムーズに相対回転させることが可能となり、シャッターカーテンの巻上げに要するトルクを低減することが可能となる。また、隙間Ｓ３の確保によって、上部係合部１１と下部係合部１２が擦れ合うことがなくなるため、両者の擦れ合いに起因する金属音等の騒音の発生を防止することができる。
【００４０】
以上のように、実施例１においては、図３に示すごとく、
上側のスラット１０Ｂの下部係合部１２に下側のスラット１０Ａの上部係合部１１を収容し、両係合部１１・１２を係合させることで上下方向に連結される構成とするシャッターカーテンのスラットであって、
スラット同士の連結部２０において、
下部係合部１２と上部係合部１１が室外側において接触してなる第一の接触部２１と、
下部係合部１２と上部係合部１１が室内側において接触してなる第二の接触部２２と、
が形成される、シャッターカーテンのスラットとするものである。
【００４１】
これにより、第一の接触部２１、及び、第二の接触部２２の合計二箇所に接触部が同時に構成され、二箇所において、水密性、気密性、遮音性を確保することができる。これにより、従来の一箇所にのみ接触部が形成されるものと比較して、水密性、気密性、遮音性を向上することが可能となる。
【００４２】
また、図３に示すごとく、
前記第二の接触部２２は、
前記下部係合部１２において前記上部係合部１１を収容する下部収容空間１２Ｍの天井面を構成する部位となる下部第三屈曲部１２ｃの下表面１２ｃｕと、上部係合部１１の上部を構成する部位となる上部第四屈曲部１１ｄの上表面１１ｄｕと、を接触させることで形成されることとするものである。
【００４３】
これにより、図４（ａ）に示すごとく、高い位置に形成される第二の接触部２２において水密性を確保することができるため、この第二の接触部２２において、室内側への水の浸入を効果的に防止することができる。
【実施例２】
【００４４】
実施例２においては、図６（ａ）に示す構成の上部係合部６１、下部係合部６２により、連結部６０を構成するものである。
この図６（ａ）に示すごとく、スラット４０Ａの上部係合部６１は、遮蔽面構成部６３の上端部から室内側に略水平方向に伸びる上部水平面部６１Ａと、上部水平面部６１Ａから室内側に斜め上方に延びる上部第一傾斜部６１Ｂと、上部第一傾斜部６１Ｂの室内側端部から上方に延びる上部第二傾斜部６１Ｃと、上部第二傾斜部６１Ｃの室内側端部から室内側下方に延びる上部第三傾斜部６１Ｄと、上部第三傾斜部６１Ｄの室内側端部から室内側に斜め下方に延びる上部第四傾斜部６１Ｅと、上部第四傾斜部６１Ｅの室内側端部から室内側に斜め下方に延びる上部第五傾斜部６１Ｆと、を有している。
【００４５】
また、図６（ａ）に示すごとく、スラット４０Ａの上部係合部６１は、遮蔽面構成部６３と上部水平面部６１Ａの間に、上部第一屈曲部６１ａを有している。また、上部係合部６１は、上部水平面部６１Ａと上部第一傾斜部６１Ｂの間に、上部第二屈曲部６１ｂを有している。また、上部係合部６１は、上部第一傾斜部６１Ｂと上部第二傾斜部６１Ｃの間に、上部第三屈曲部６１ｃを有している。また、上部係合部６１は、上部第二傾斜部６１Ｃと上部第三傾斜部６１Ｄの間に、上部第四屈曲部６１ｄを有している。また、上部係合部６１は、上部第三傾斜部６１Ｄと上部第四傾斜部６１Ｅの間に、上部第五屈曲部６１ｅを有している。また、上部係合部６１は、上部第四傾斜部６１Ｅと上部第五傾斜部６１Ｆの間に、上部第六屈曲部６１ｆを有している。ここで、上部第六屈曲部６１ｆは、略直角に構成される。
【００４６】
また、図６（ａ）に示すごとく、スラット４０Ｂの下部係合部６２においては、遮蔽面構成部６３の下端部から室内側に略Ｕ字状に屈曲して構成される下部第一屈曲部６２ａと、下部第一屈曲部６２ａから上方に延びる下部第一縦面部６２Ａと、下部第一縦面部６２Ａの上部から室内側に斜め上方に延びる下部第一傾斜部６２Ｂと、下部第一傾斜部６２Ｂの室内側の端部から下部第三屈曲部６２ｃを介して室内側に下方に延びる下部第二傾斜部６２Ｃと、下部第二傾斜部６２Ｃの下端部から室外側に水平方向に延びる下部水平部６２Ｄと、下部水平部６２Ｄの室外側の端部から上方に延びる下部第二縦面部６２Ｅと、を有している。このように構成することで、スラット４０Ｂの下側に配置されるスラット４０Ａの上部係合部６１を収容するための下部収容空間６２Ｍが形成されることとしている。
【００４７】
また、図６（ａ）に示すごとく、スラット４０Ａの下部係合部６２は、下部第一縦面部６２Ａと下部第一傾斜部６２Ｂの間に、下部第二屈曲部６２ｂを有している。また、下部係合部６２は、下部第一傾斜部６２Ｂと下部第二傾斜部６２Ｃの間に、下部第三屈曲部６２ｃを有している。また、下部第二傾斜部６２Ｃと下部水平部６２Ｄの間に、下部第四屈曲部６２ｄを有している。また、下部水平部６２Ｄと下部第二縦面部６２Ｅの間に、下部第五屈曲部６２ｅを有している。
【００４８】
また、図６（ａ）は、シャッターカーテンの下降が完了し、シャッター装置の開口部が完全に閉鎖された際の連結部６０の状態を示すものである。
そして、下部係合部６２の下部第一屈曲部６２ａは、上部係合部６１の上部水平面部６１Ａと接触される。このように、下部第一屈曲部６２ａと上部水平面部６１Ａが接触することで、連結部６０の室外側に第一の接触部７１が形成される。
さらに、下部係合部６２の下部第一傾斜部６２Ｂは、上部係合部６１の上部第四屈曲部６１ｄと接触される。このように、下部第一傾斜部６２Ｂと上部第四屈曲部６１ｄが接触することで、連結部６０の室内側に第二の接触部７２が形成される。
【００４９】
また、図６（ａ）に示すごとく、上部係合部６１における上部水平面部６１Ａの上表面６１Ａｕから上部第四屈曲部６１ｄの上表面６１ｄｕまでの上下寸法Ｈ１１と、下部係合部６２における下部第一屈曲部６２ａの下表面６２ａｕから下部第一傾斜部６２Ｂの下表面６２Ｂｕまでの上下寸法Ｈ１２とは、略同一となるように設定されている。この構成により、シャッターカーテンの下降が完了し、シャッター装置の開口部が完全に閉鎖された際には、必ず、第一の接触部７１、及び、第二の接触部７２が形成されるようになる。
【００５０】
以上のようにして、図６（ａ）に示すごとく、スラット４０Ａ・４０Ｂの連結部６０においては、シャッターカーテンによりシャッター装置の開口部が完全に閉鎖された際には、第一の接触部７１、及び、第二の接触部７２の合計二箇所に接触部が同時に構成され、二箇所において、水密性、気密性、遮音性を確保することができる。これにより、従来の一箇所にのみ接触部が形成されるものと比較して、水密性、気密性、遮音性を向上することが可能となる。
【００５１】
また、図６（ａ）に示すごとく、第二の接触部７２は、下部係合部６２において下部収容空間６２Ｍの天井面を構成する部位となる下部第一傾斜部６２Ｂの下表面６２Ｂｕと、上部係合部６１の上部を構成する部位となる上部第四屈曲部６１ｄの上表面６１ｄｕと、を接触させることで形成されるようになっている。
【００５２】
これにより、図６（ａ）に示すごとく、例えば、多量の降雨によって室外における水嵩が増加し、第一の接触部７１から徐々に水が浸入してしまうような場合でも、下部係合部６２における下部収容空間６２Ｍにおいて、上部第四屈曲部６１ｄが形成される位置までの高さまでの水位については、室内側への水の浸入を効果的に防止することができる（実施例１の図４（ａ）に示す状況と同様）。換言すれば、上部第一傾斜部６１Ｂと上部第二傾斜部６１Ｃによって、上下方向に寸法の長い縦壁を構成することができることになる。また、仮に、水位が第二の接触部７２まで上昇したとしても、第二の接触部７２において水密性を確保することができるため、この第二の接触部７２において、室内側への水の浸入を効果的に防止することができる。
【００５３】
また、図６（ａ）に示すごとく、上部係合部６１における上部第五屈曲部６１ｅから上部第五傾斜部６１Ｆの下端６１Ｆｓまでの距離Ｌ１１は、下部係合部６２における下部第一傾斜部６２Ｂから下部水平部６２Ｄまでの距離Ｌ１２よりも小さく構成される。これにより、第一の接触部７１、及び、第二の接触部７２が形成された状態において、上部第五傾斜部６１Ｆの下端６１Ｆｓと、下部水平部６２Ｄの内側面６２ｆの間に、隙間Ｓ１１が形成される。
【００５４】
そして、図６（ａ）に示される隙間Ｓ１１の存在により、上部係合部６１と下部係合部６２の上下方向の相対移動が可能となる。これにより、シャッターカーテンが上昇する際においては、下部第五屈曲部６２ｅの内側面６２ｆに上部第五傾斜部６１Ｆの下端６１Ｆｓを載置することが可能となって、スラット４０Ｂにスラット４０Ａを吊り下げることが可能となる。そして、この場合には、室外側において、下部第一屈曲部６２ａと上部水平面部６１Ａの間に隙間Ｓ１３を形成することができ、仮に、下部収容空間６２Ｍに水が滞留していた場合については、この隙間１３から室外へと水を排出することができる（実施例１における図４（ｂ）を参照）。そして、シャッターカーテンの上昇の際に、下部収容空間６２Ｍの水が排出できることとなるため、図１に示される巻取ケース１内への水の浸入を防止することができる。
【００５５】
さらに、図６（ａ）（ｂ）に示すごとく、下部係合部６２においては、下部第二傾斜部６２Ｃと、下部水平部６２Ｄと、下部第二縦面部６２Ｅで囲まれる空間を形成し、これにより、上部係合部６１を吊り下げ保持するための下部吊り下げ部位６０Ｍが構成される。また、上部係合部６１においては、上部第六屈曲部６１ｆと上部第五傾斜部６１Ｆによって、前記吊り下げ部位６０Ｍに係合し吊り下げられるための上部吊り下げ部位６０Ｎが構成される。
【００５６】
そして、図６（ｂ）に示すごとく、下側のスラット４０Ａの上部吊り下げ部位６０Ｎは、上側のスラット４０Ｂの下部吊り下げ部位６０Ｍを回動支点として室外方向（矢印Ｒ方向）へ回動可能となるように、図６（ａ）に示すごとく、下部吊り下げ部位６０Ｍと上部吊り下げ部位６０Ｎの間に隙間Ｓ１１・Ｓ１２を確保することとしている。なお、隙間Ｓ１１については、上部第五傾斜部６１Ｆの下端６１Ｆｓと、下部水平部６２Ｄの内側面６２ｆの間に確保されるものであり、また、隙間Ｓ１２については、上部第六屈曲部６１ｆと下部第二傾斜部６２Ｃの間に確保されるものである。
【００５７】
そして、図６（ｂ）に示す状態では、上側のスラット４０Ｂが下側のスラット４０Ａに対して、いわゆる、逆反りの状態となることができる。これにより、図７に示すごとく、ガイドレール４・４により遮蔽面構成部６３が略垂直になるように配置されるスラット４０Ａと、巻取シャフト２に巻き取られたスラット４０Ｄの間において、スラット４０Ｂの上部係合部６１が室外側、下部係合部６２が室内側に配置されることで、遮蔽面構成部６３を傾けた状態とすることができる。すなわち、スラット４０Ｂを逆反りさせることが可能となる。
【００５８】
そして、図７に示すように、スラット４０Ｂのように逆反りを可能とすることで、ガイドレール４・４を、室内外方向において、巻取シャフト２の中心Ｃにより近い位置に配置することが可能となり、シャッター装置の室内側面Ｚからガイドレール４・４までの距離Ｗを縮小することが可能となる。例えば、図１の場合では、距離Ｗ＋αがガイドレール４・４の室外側への突出寸法となるが、この寸法αの分だけ図７の構成では突出寸法が縮小されるため、シャッター装置全体としてコンパクト化を図ることが可能となる。
【００５９】
なお、この逆反りについては、上述した実施例１の構成についても可能であり、実施例１の場合では、例えば、図３に示す構成において、隙間Ｓ１を広く確保することで可能となる。なお、実施例１の場合、下部係合部１２においては、下部第三傾斜部１２Ｄと、下部第五屈曲部１２ｅと、下部第四傾斜部１２Ｅで囲まれる空間を形成し、これにより、上部係合部６１を吊り下げ保持するための下部吊り下げ部位３０Ｍが構成される。また、上部係合部６１においては、上部第三傾斜部６１Ｄの下端１１Ｄｓ、前記下部吊り下げ部位３０Ｍに係合し吊り下げられるための上部吊り下げ部位３０Ｎが構成されることになる。
【００６０】
以上のように、実施例２においては、図６（ａ）に示すごとく、
上側のスラット４０Ｂの下部係合部６２に下側のスラット４０Ａの上部係合部６１を収容し、両係合部６１・６２を係合させることで上下方向に連結される構成とするシャッターカーテンのスラットであって、
スラット同士の連結部６０において、
下部係合部６２と上部係合部６１が室外側において接触してなる第一の接触部７１と、
下部係合部６２と上部係合部６１が室内側において接触してなる第二の接触部７２と、
が形成される、シャッターカーテンのスラットとするものである。
【００６１】
これにより、第一の接触部７１、及び、第二の接触部７２の合計二箇所に接触部が構成され、二箇所において、水密性、気密性、遮音性を確保することができる。これにより、従来の一箇所にのみ接触部が形成されるものと比較して、水密性、気密性、遮音性を向上することが可能となる。
【００６２】
また、図６（ａ）に示すごとく、
前記第二の接触部７２は、
前記下部係合部６２において前記上部係合部６１を収容する下部収容空間６２Ｍの天井面を構成する部位となる下部第一傾斜部６２Ｂの下表面６２Ｂｕと、上部係合部６１の上部を構成する部位となる上部第四屈曲部６１ｄの上表面６１ｄｕと、を接触させることで形成されることとするものである。
【００６３】
これにより、図６（ａ）に示すごとく、高い位置に形成される第二の接触部７２において水密性を確保することができるため、この第二の接触部７２において、室内側への水の浸入を効果的に防止することができる。
【００６４】
また、図６（ａ）（ｂ）に示すごとく、上部係合部６１を吊り下げ保持するための下部係合部６２の下部吊り下げ部位６０Ｍと、下部吊り下げ部位６０Ｍに吊り下げられるための上部係合部６１の上部吊り下げ部位６０Ｎの間には、上側のスラット４０Ｂを逆反り可能とするための隙間Ｓ１１・Ｓ１２を確保することとするものである。
【００６５】
これにより、図７に示すごとく、シャッター装置の室内側面Ｚからガイドレール４・４までの距離Ｗを縮小することが可能となり、シャッター装置全体としてコンパクト化を図ることが可能となる。
【実施例３】
【００６６】
本実施例３は、図８に示される構成である。
この実施例３は、図６（ａ）に示す実施例２の構成における直線状の上部第三傾斜部６１Ｄについて、図８に示すごとく、円弧状の上部第三傾斜部８１Ｄとするものであり、それ以外の構成については、実施例２と同様である。そして、このように円弧状の上部第三傾斜部８１Ｄとすることにより、スラットを曲げ加工にて成形する場合には、直線状に構成する場合と比較して、上部第三傾斜部８１Ｄの加工成形が容易となる。仮に、図６（ａ）に示されるように、直線状の上部第三傾斜部６１Ｄとする場合には、上部第四屈曲部６１ｄと上部第五屈曲部６１ｅを形成する際に、上部第三傾斜部６１Ｄを両側から保持した上での曲げ加工が必要となるが、図８に示す実施例３によれば、このような保持をしながらの加工を省略できることになる。
【産業上の利用可能性】
【００６７】
本発明の活用例として、電動シャッター装置や手動シャッター装置のスラットとして広く適用可能である。そして、以上に説明したスラットによりシャッターカーテンを構成することによれば、水密性等に優れたシャッター装置を構成することができる。
【図面の簡単な説明】
【００６８】
【図１】実施例１のスラットにより構成されるシャッターカーテンについて示す側面図。
【図２】実施例１のスラットの構造について示すスラットの側面図。
【図３】実施例１のスラットの連結部の構造について示す側面図。
【図４】（ａ）は、連結部の収容空間に水が浸入した状態について示す図。（ｂ）は、連結部の収容空間から水が排出される状態について示す図。
【図５】（ａ）は、スラットが上昇する際における連結部の状態について示す図。（ｂ）は、スラットが巻き取られる際に回転した状態について示す図。（ｃ）は、スラットが巻き取られる際に更に回転した状態について示す図。
【図６】（ａ）は、実施例２のスラットの連結部の構造について示す図。（ｂ）は、実施例２におけるスラットが逆反りした状態について示す図。
【図７】実施例２のスラットにより構成されるシャッターカーテンについて示す側面図。
【図８】実施例３のスラットの連結部の構造について示す図。
【符号の説明】
【００６９】
１    巻取ケース
２    巻取シャフト
３    シャッターカーテン
４    ガイドレール
５    外装面
１０Ａ    スラット
１０Ｂ    スラット
１１    上部係合部
１２    下部係合部
１３    遮蔽面構成部
１４    外装面
２０    連結部
２１    第一の接触部
２２    第二の接触部
【図１】
2010019057.tif 000003
【図２】
2010019057.tif 000004
【図３】
2010019057.tif 000005
【図４】
2010019057.tif 000006
【図５】
2010019057.tif 000007
【図６】
2010019057.tif 000008
【図７】
2010019057.tif 000009
【図８】
2010019057.tif 000010